(57)【要約】【課題】ストローを可及的に圧迫させず、これにより飲料物を円滑かつ確実に飲むことができる飲料物収容容器を提供する。【解決手段】飲料物収容容器１の展開図において、第二の鉛直折り曲げ線２３が配設された糊付け面１３に連接する二つの傾斜面１４のうち、少なくとも一つの傾斜面１４に形成された一対の傾斜折れ曲がり線４１´は、それぞれシート材５２の一辺５２ａまで延設され、これにより密封された飲料物収容容器において第二の鉛直折り曲げ線２３が配設された糊付け面１３から開封した場合に、該糊付け面１３上の第二の鉛直折れ曲がり線２３が中心軸Ｏに対して前記糊付け面１３上の一対の前記傾斜折れ曲がり線４１´より外側に配置されるように、前記糊付け面１３が一対の傾斜折れ曲がり線４１´と第二の鉛直折り曲げ線２３に沿って折り曲げられるようにしている。【選択図】図３
0003111473.tif 000002
【実用新案登録請求の範囲】
【請求項１】
一枚のシート材を折り曲げて組み立てられ、組み立てられた場合に、四角形の底面と、側面と、該各側面の上方にそれぞれ位置する糊付け面であって、折り畳まれて互いに当接する部分が糊付けされ、これにより密封を図る糊付け面と、該各糊付け面と前記各側面との間にそれぞれ形成され、前記密封された場合に前記側面によって形成される開口部を覆う傾斜面とを具え、  
前記糊付け面における糊付けを解除して開封した場合に、前記開口部が解放されてストローを挿入できる飲料物収容容器において、
その展開図には、
前記側面を形成する四本の第一の鉛直折り曲げ線と、
該四本の第一の鉛直折り曲げ線と交差する一本の第一の水平折り曲げ線と、
前記四本の第一の鉛直折り曲げ線と交差する一本の第二の水平折り曲げ線であって、前記第一の水平折り曲げ線と該第一の水平折り曲げ線に対し平行な前記シート材の一辺との間に配設される第二の水平折り曲げ線
とが形成され、
前記糊付け面及び前記傾斜面は、それぞれ四つ形成され、
前記各糊付け面は、前記第二の水平折り曲げ線と前記シート材の前記一辺と前記第一の鉛直折り曲げ線とにそれぞれ囲まれてなり、
前記各傾斜面は前記第一の水平折り曲げ線と前記第二の水平折り曲げ線と前記第一の鉛直折り曲げ線とにそれぞれ囲まれてなり、
前記四つの糊付け面のうち、一つおきに配設された二つの糊付け面には、それぞれ、第二の水平折り曲げ線上の中点から前記シート材の前記一辺に達するまで延設された第二の鉛直折り曲げ線が形成され、
前記四つの傾斜面のうち、前記第二の鉛直折り曲げ線が配設された糊付け面に連接する二つの傾斜面には、前記第一の鉛直折り曲げ線と第一の水平折り曲げ線とが交わる交点と、前記第二の水平折り曲げ線上の前記中点とをそれぞれ結ぶ一対の傾斜折れ曲がり線がそれぞれ形成されており、
前記二つの傾斜面のうち少なくとも一つの傾斜面に形成された一対の傾斜折れ曲がり線は、それぞれ前記シート材の前記一辺まで延設され、これにより前記組み立てられ密封された飲料物収容容器において前記第二の鉛直折り曲げ線が配設された前記糊付け面における糊付けを解除して開封した場合に、前記糊付け面上の前記第二の鉛直折れ曲がり線が、前記底面の中心を通って鉛直方向に沿って伸びる中心軸に対して前記糊付け面上の一対の前記傾斜折れ曲がり線より外側に配置されるように、前記糊付け面が、前記糊付け面上の前記一対の傾斜折れ曲がり線と前記第二の鉛直折り曲げ線に沿って折り曲げられるようにしたことを特徴とする飲料物収容容器。
【請求項２】
前記糊付け面上の前記一対の傾斜折り曲げ線と前記第二の鉛直折り曲げ線とによって、前記糊付け面に断面Ｖ字形状の溝が形成されるようにしたことを特徴とする請求項（１）の飲料物収容容器。
【考案の詳細な説明】
【技術分野】
【０００１】
本考案は、飲料物収容容器に関し、特に牛乳等を収容する紙製の飲料物収容容器に関する。
【背景技術】
【０００２】
従来から、飲料物を収容する飲料物収容容器として、牛乳等の飲料物を収容する紙製の飲料物収容容器（いわゆる紙パック）が存在する。
【０００３】
図５は、従来の紙製の飲料物収容容器の要部概念斜視図であって、特に飲料物収容容器を密封した様子を示す図である。また図６は、図５の飲料物収容容器の展開図である。なお、図６乃至後述する図９では、図５と同一部分を同一符号で図示している。
【０００４】
図５で示すように、従来の紙製の飲料物収容容器（以下、単に「飲料物収容容器」という。）５１は、一枚のシート材（紙材）５２を折り曲げて組み立てられるものである。
【０００５】
この飲料物収容容器５１は、組み立てられた場合に、図示せぬ四角形の底面と、側面１１と、該各側面１１の上方にそれぞれ位置する糊付け面１３であって、折り畳まれて互いに当接する部分が糊付けされ、これにより密封を図る糊付け面１３と、該各糊付け面１３と各側面１１との間にそれぞれ形成され、密封された場合に側面１１によって形成される開口部１１ａを覆う傾斜面１４とを具えている。
【０００６】
この従来の飲料物収容容器５１では、図６の展開図において示すように、シート材５２に、各側面１１を形成する四本の第一の鉛直折り曲げ線２１と、該四本の第一の鉛直折り曲げ線２１と交差する一本の第一の水平折り曲げ線３１と、四本の第一の鉛直折り曲げ線２１と交差する一本の第二の水平折り曲げ線３３とが形成されている。
【０００７】
また、このうちの第二の水平折り曲げ線３３は、第一の水平折り曲げ線３１と該第一の水平折り曲げ線３１に対し平行なシート材５２の一辺５２ａとの間に配設されている。
【０００８】
また、展開したシート材５２には、前記した糊付け面１３が４つ形成されている。  
この各糊付け面１３は、第二の水平折り曲げ線３３とシート材５２の一辺５２ａと第一の鉛直折り曲げ線２１とにそれぞれ囲まれてなる。  
また、四つの糊付け面１３のうち、一つおきに配設された二つの糊付け面１３には、それぞれ、第二の水平折り曲げ線３３上の中点からシート材５２の前記一辺５２ａに達するまで延設された第二の鉛直折り曲げ線２３が形成されている。
【０００９】
また、展開したシート材５２には、前記した傾斜面１４が四つ形成されている。  
この各傾斜面１４は、第一の水平折り曲げ線３１と第二の水平折り曲げ線３３と第一の鉛直折り曲げ線２１とにそれぞれ囲まれてなる。  
また、この四つの傾斜面１４のうち、第二の鉛直折り曲げ線２３が配設された糊付け面１３に連接する二つの傾斜面１４には、第一の鉛直折り曲げ線２１と第一の水平折り曲げ線３１とが交わる交点と、第二の水平折り曲げ線３３上の前記中点とをそれぞれ結ぶ一対の傾斜折れ曲がり線４１がそれぞれ形成されている。
【００１０】
このような図６のシート材５２を用いて飲料物収容容器５１を組み立てるには、まず、シート材５２を第一の鉛直折り曲げ線２１に沿って折り曲げて側面１１を形成するとともに、該側面１１に前記底面を糊付けする。  
すると、各側面１１の上方（鉛直上方）にそれぞれ各傾斜面１４と各糊付け面１３が形成されるとともに、形成された四つの側面１１によって該側面１１上方には開口部１１ａが形成される。なお、この開口部１１ａは解放されている。
【００１１】
この解放されている開口部１１ａを介して、図示せぬ飲料物が、前記底面及び側面１１によって形成された空間内に収容される。  
なお、図６の符号５２ｂは、シート材５２の一端５２ｃがある側面１１、糊付け面１３及び傾斜面１４に糊付けされる糊しろである。
【００１２】
また、飲料物が収容された後、露出する糊付け面１３の外面及び内面の各全体に糊付けを施す。  
次に、第二の鉛直折り曲げ線２３が形成された糊付け面１３を、該第二の鉛直折り曲げ線２３に沿って折り曲げる。この折り曲げは、図７で示すように、各第二の鉛直折り曲げ線２３が、前記底面の中心を通って鉛直方向に沿って伸びる中心軸（以下、単に「中心軸」という。）Ｏに向けて移動する方向に行う。また、この折り曲げにより、糊付け面１３のうち、第二の鉛直折り曲げ線２３の両側に位置する部分の外面が、互いに接するようにする。  
すると、図５及び図７で示すように、糊付け面１３が折り畳まれ糊付け面１３において互いに当接する部分が糊付けされ、これにより飲料物収容容器５１の密封が図られる。  
なお、図７は、図５及び図６に示した飲料物収容容器の概念平面図であって、特に飲料物収容容器を密封した様子を示す図である。
【００１３】
また、図５及び図７で示すように密封されると、傾斜面１４が開口部１１ａを覆う。またこのとき、一対の傾斜折り曲げ線４１が形成された各傾斜面１４は、それぞれ、該一対の傾斜折り曲げ線４１に沿って中心軸Ｏに向けて折り曲げられる。そして、この折り曲げられた各傾斜面１４には、図５に示すように、一対の傾斜折り曲げ線４１と第一の水平折り曲げ線３１とによって、それぞれ三角形状面１４ａが形成される。また、この三角形状面１４ａは、前記した糊付け面１３の折り畳みにより、中心軸Ｏから傾斜して配置され、そのため該傾斜面１４には、各三角形状面１４ａの鉛直上方にそれぞれ凹部が形成される。
【００１４】
また、このようにして組み立てられ密封された飲料物収容容器５１において、開封の解除、すなわち開封する場合には、まず、図５の矢印Ａで示すように、前記凹部を広げ、これにより前記凹部上方の糊付け面１３を互いに剥離する。すると、図８で示すように、剥離された糊付け面１３からは一本の第二の鉛直折り曲げ線２３が露出する。  
なお、凹部を広げるには、一方の前記凹部内に両手親指を挿入するとともに該凹部上方の傾斜面１４を掴んで行う。
【００１５】
次に、図８の矢印Ｂで示すように、剥離された糊付け面１３のうち、露出した第二の鉛直折り曲げ線２３が形成された部分を中心軸Ｏから離間する方向へ引く。  
すると、図９で示すように、糊付け面１３の内面同士の糊付けが解除されて開封することができ、これにより開口部１１ａは解放される。そのため、図９の矢印Ｃで示すように、開口部１１ａにストロー６１を挿入することができる。
【００１６】
また、挿入したストロー６１を用いて飲料物収容容器５１内に収容された飲料物を飲む場合には、図８及び図９の各矢印Ｄで示すように、糊付け面１３のうち、前記引いた第二の鉛直折り曲げ線２３が形成された部分を中心軸Ｏに向け押圧する。すると、糊付け面２３は、第二の鉛直折り曲げ線２３が形成された部分を中心軸Ｏから離間する方向へ引く直前の状態（図８）に可及的に復帰しようとし、該復帰しようとした第二の鉛直折り曲げ線２３が形成された部分全体がストロー６１に当接するので、この状態でストロー６１を使用する。  
このようにすると、ストロー６１の使用状態において開口部１１ａは糊付け面１３及び傾斜面１４によって可及的に覆われるので、飲料物収容容器５１が外部からの衝撃等を受けた場合に、収容した飲料物が、開口部１１ａから飲料物収容容器５１の外部へ飛散することを可及的に防止できる。
【００１７】
なお、図８は、図５及び図６に示した飲料物収容容器の概念平面図であって、特に、開封途中の様子を示す図である。また図９は、図５及び図６に示した飲料物収容容器の概念斜視図であって、特に、開封した飲料物収容容器にストローを投入しようとする様子を示す図である。
【考案の開示】
【考案が解決しようとする課題】
【００１８】
ところで、従来の飲料物収容容器５１は、収容されている飲料物をストロー６１によって飲む場合、上述したように、糊付け面１３のうち第二の鉛直折り曲げ線２３が形成された部分全体がストロー６１に当接する状態でストロー６１を使用するから、該第二の鉛直折り曲げ線２３が形成された部分全体がストロー６１を圧迫し、これにより、ストロー６１内を飲料物が通過することが困難になって、利用者は飲料物を飲むことができないことがあるという問題があった。
【００１９】
この問題は、特に収容する飲料物の種類が果汁入りのものや、粘りけのあるものの場合に顕著に生じていた。
【００２０】
そこで、上述した事情に鑑み、本考案は、ストローを可及的に圧迫させず、これにより飲料物を円滑かつ確実に飲むことができる飲料物収容容器を提供することを目的とする。
【課題を解決するための手段】
【００２１】
上述した課題を解決するため、本考案の飲料物収容容器は、一枚のシート材を折り曲げて組み立てられ、組み立てられた場合に、四角形の底面と、側面と、該各側面の上方にそれぞれ位置する糊付け面であって、折り畳まれて互いに当接する部分が糊付けされ、これにより密封を図る糊付け面と、該各糊付け面と前記各側面との間にそれぞれ形成され、前記密封された場合に前記側面によって形成される開口部を覆う傾斜面とを具え、前記糊付け面における糊付けを解除して開封した場合に、前記開口部が解放されてストローを挿入できる飲料物収容容器において、その展開図には、前記側面を形成する四本の第一の鉛直折り曲げ線と、該四本の第一の鉛直折り曲げ線と交差する一本の第一の水平折り曲げ線と、前記四本の第一の鉛直折り曲げ線と交差する一本の第二の水平折り曲げ線であって、前記第一の水平折り曲げ線と該第一の水平折り曲げ線に対し平行な前記シート材の一辺との間に配設される第二の水平折り曲げ線とが形成され、前記糊付け面及び前記傾斜面は、それぞれ四つ形成され、前記各糊付け面は、前記第二の水平折り曲げ線と前記シート材の前記一辺と前記第一の鉛直折り曲げ線とにそれぞれ囲まれてなり、前記各傾斜面は前記第一の水平折り曲げ線と前記第二の水平折り曲げ線と前記第一の鉛直折り曲げ線とにそれぞれ囲まれてなり、前記四つの糊付け面のうち、一つおきに配設された二つの糊付け面には、それぞれ、第二の水平折り曲げ線上の中点から前記シート材の前記一辺に達するまで延設された第二の鉛直折り曲げ線が形成され、前記四つの傾斜面のうち、前記第二の鉛直折り曲げ線が配設された糊付け面に連接する二つの傾斜面には、前記第一の鉛直折り曲げ線と第一の水平折り曲げ線とが交わる交点と、前記第二の水平折り曲げ線上の前記中点とをそれぞれ結ぶ一対の傾斜折れ曲がり線がそれぞれ形成されており、前記二つの傾斜面のうち少なくとも一つの傾斜面に形成された一対の傾斜折れ曲がり線は、それぞれ前記シート材の前記一辺まで延設され、これにより前記組み立てられ密封された飲料物収容容器において前記第二の鉛直折り曲げ線が配設された前記糊付け面における糊付けを解除して開封した場合に、前記糊付け面上の前記第二の鉛直折れ曲がり線が、前記底面の中心を通って鉛直方向に沿って伸びる中心軸に対して前記糊付け面上の一対の前記傾斜折れ曲がり線より外側に配置されるように、前記糊付け面が、前記糊付け面上の前記一対の傾斜折れ曲がり線と前記第二の鉛直折り曲げ線に沿って折り曲げられるようにしている。
【考案の効果】
【００２２】
本考案の飲料物収容容器は、その展開図において、四つの傾斜面のうち、前記第二の鉛直折り曲げ線が配設された糊付け面に連接する二つの傾斜面に、第一の鉛直折り曲げ線と第一の水平折り曲げ線とが交わる交点と、第二の水平折り曲げ線上の前記中点とをそれぞれ結ぶ一対の傾斜折れ曲がり線がそれぞれ形成されており、前記二つの傾斜面のうち少なくとも一つの傾斜面に形成された一対の傾斜折れ曲がり線は、それぞれシート材の前記一辺まで延設され、これにより組み立てられ密封された飲料物収容容器において第二の鉛直折り曲げ線が配設された糊付け面における糊付けを解除して開封した場合に、糊付け面上の第二の鉛直折れ曲がり線が、底面の中心を通って鉛直方向に沿って伸びる中心軸に対して糊付け面上の一対の前記傾斜折れ曲がり線より外側に配置されるように、糊付け面が、糊付け面上の一対の傾斜折れ曲がり線と第二の鉛直折り曲げ線に沿って折り曲げられるようにしたので、ストローが、糊付け面のうち第二の鉛直折り曲げ線が形成された部分全体によって圧迫される虞を可及的に防止でき、そのため、飲料物はストロー内を円滑に通過することができるので、利用者は飲料物を円滑かつ確実に飲むことができ、特に収容する飲料物の種類が果汁入りのものや、粘りけのあるものの場合に有効である。
【００２３】
すなわち、本考案によれば、ストローを圧迫させず、これにより飲料物を円滑かつ確実に飲むことができる飲料物収容容器を提供することができる。
【考案を実施するための最良の形態】
【００２４】
本考案の飲料物収容容器について、以下の実施例で詳述する。
【００２５】
図１は、本考案の実施例の飲料物収容容器の展開図である。  
なお、図１乃至後述する図４では、図５乃至図９と同一部分を同一符号で示すとともに、従来の飲料物収容容器と同一構造の部分についてはその説明を省略する。
【００２６】
図１で示すように、本考案の実施例の飲料物収容容器１の展開図のシート材５２には、従来の各一対の傾斜折れ曲がり線４１に替えて、それぞれ一対の傾斜折れ曲がり線４１´が形成されている。  
この各傾斜折れ曲がり線４１´は、各傾斜折れ曲がり線４１をそれぞれシート材５２の一辺５２ａまで延設したものである。
【００２７】
図２は、図１の展開図のシート材から飲料物収容容器を組み立ててこれを密封した後、さらに第二の鉛直折り曲げ線が配設された糊付け面における糊付けを解除して開封した様子を示す飲料物収容容器の要部概念斜視図であって、ストローを開口部に挿入しようとする様子を示す図である。
【００２８】
この図２で示すように、図１の展開図のシート材５２から組み立てられ密封された飲料物収容容器１において、第二の鉛直折り曲げ線２３が配設された糊付け面１３における糊付けを解除して開封した場合には、従来の飲料物収容容器５１と同様に、ストロー６１を、解放した開口部１１ａに挿入することができる。  
なお、この飲料物収容容器１においては、シート材５２（図１）からの組み立てによって飲料物収容容器１を組み立て密封する手順や、図２のように開封して開口部１１ａを解放し、該開口部１１ａにストロー６１を投入する手順は、従来の飲料物収容容器５１と同様である。  
なお、図２には、糊付けを解除した糊付け面１３に一対の傾斜折れ曲がり線４１´が形成され、かつ該各傾斜折れ曲がり線４１´が、それぞれシート材５２の一辺５２ａまで延設されている様子が図示されている。
【００２９】
また、投入したストロー６１を使用する場合には、糊付け面１３のうち、開封する際にいったん中心軸Ｏから離間する方向（図８の矢印Ｂの方向）に引いた、第二の鉛直折り曲げ線２３が形成された部分を、図２の矢印Ｄで示すように、中心軸Ｏに向け押圧する。  
また、この押圧とともに、図３で示すように、該押圧する糊付け面１３を、該糊付け面１３上の一対の傾斜折れ曲がり線４１´と第二の鉛直折り曲げ線２３に沿って折り曲げ、これにより、図４及び図３で示すように、糊付け面１３上の第二の鉛直折れ曲がり線２３が、前記中心軸Ｏに対して糊付け面１３上の一対の前記傾斜折れ曲がり線４１´より外側に配置されるようにする。  
すると、該折り曲げられた糊付け面１３上の一対の傾斜折り曲げ線４１´と第二の鉛直折り曲げ線２３とによって断面Ｖ字形状の溝４２（図３及び図４）が糊付け面１３に形成される。
【００３０】
上述したように前記矢印Ｄ方向へ糊付け面１３を押圧すると、第二の鉛直折り曲げ線２３が形成された部分を中心軸Ｏから離間する方向へ引く直前の状態（図８参照）に可及的に復帰しようとする。ここで、図３及び図４の糊付け面１３は、上述のように前記糊付け面１３上の一対の傾斜折れ曲がり線４１´と第二の鉛直折り曲げ線２３に沿って折り曲げられ、これにより糊付け面１３上の第二の鉛直折れ曲がり線２３が中心軸Ｏに対して、糊付け面１３上の二本の前記傾斜折れ曲がり線４１´より外側に配置されているから、前記復帰しようとした糊付け面１３のうち、第二の鉛直折り曲げ線２３が形成された部分全体がストロー６１に当接する虞は可及的に防止される。
【００３１】
すなわち、糊付け面１３には、該糊付け面１３上の二本の傾斜折れ曲がり線４１´と第二の鉛直折り曲げ線２３に沿って折り曲げられ、これにより前記断面Ｖ字形状の溝４２が形成されるので、糊付け面１３のうち第二の鉛直折り曲げ線２３が形成された部分全体がストロー６１に当接する虞は可及的に防止される。  
したがって、糊付け面１３のうち第二の鉛直折り曲げ線２３が形成された部分全体が、ストロー６１を圧迫する虞を可及的に防止できる。そのため、ストロー６１内を飲料物が円滑に通過することとなるので、利用者は飲料物を円滑かつ確実に飲むことができる。  
また、このような作用効果は、特に飲料物の種類が果汁入りのものや、粘りけのあるものの場合に有効である。
【００３２】
また、この飲料物収容容器１では、上述のように糊付け面１３を、該糊付け面１３上の一対の傾斜折れ曲がり線４１´と第二の鉛直折り曲げ線２３に沿って折り曲げ、これにより糊付け面１３上の第二の鉛直折れ曲がり線２３が中心軸Ｏに対して、糊付け面１３上の二本の前記傾斜折れ曲がり線４１´より外側に配置されるようにしているが、図３及び図４で示すように、ストロー６１の使用状態において開口部１１ａは糊付け面１３及び傾斜面１４によって可及的に覆われる。したがって、飲料物収容容器５１が外部からの衝撃等を受けた場合に、収容した飲料物が、開口部１１ａから飲料物収容容器５１の外部へ飛散することは可及的に防止される。  
なお、図３は、図１の飲料物収容容器の要部拡大概念斜視図であって、特にストローを開口部に挿入した後、一対の傾斜折れ曲がり線及び第二の鉛直折り曲げ線で折り曲げた様子を示す図である。また図４は、図３の飲料物収容容器の概念平面図である。
【００３３】
以上で説明したように、本考案の実施例の飲料物収容容器１は、一枚のシート材５２を折り曲げて組み立てられ、組み立てられた場合に、四角形の図示せぬ底面と、側面１１と、該各側面１１の上方にそれぞれ位置する糊付け面１３であって、折り畳まれて互いに当接する部分が糊付けされ、これにより密封を図る糊付け面１３と、該各糊付け面１３と前記各側面１１との間にそれぞれ形成され、前記密封された場合に側面１１によって形成される開口部１１ａを覆う傾斜面１４とを具え、糊付け面１３における糊付けを解除して開封した場合に、開口部１１ａが解放されてストロー６１を挿入できる飲料物収容容器において、その展開図には、側面１１を形成する四本の第一の鉛直折り曲げ線２１と、該四本の第一の鉛直折り曲げ線２１と交差する一本の第一の水平折り曲げ線３１と、四本の第一の鉛直折り曲げ線２１と交差する一本の第二の水平折り曲げ線３３であって、第一の水平折り曲げ線３１と該第一の水平折り曲げ線３１に対し平行なシート材５２の一辺５２ａとの間に配設される第二の水平折り曲げ線３３とが形成され、糊付け面１３及び傾斜面１４はそれぞれ四つ形成され、各糊付け面１３は、第二の水平折り曲げ線３３とシート材５２の一辺５２ａと第一の鉛直折り曲げ線２１とにそれぞれ囲まれてなり、各傾斜面１４は第一の水平折り曲げ線３１と第二の水平折り曲げ線３３と第一の鉛直折り曲げ線２１とにそれぞれ囲まれてなり、該四つの糊付け面１３のうち、一つおきに配設された二つの糊付け面１３には、それぞれ、第二の水平折り曲げ線３３上の中点からシート材５２の一辺５２ａに達するまで延設された第二の鉛直折り曲げ線２３が形成され、該四つの傾斜面１４のうち、第二の鉛直折り曲げ線２３が配設された糊付け面１３に連接する二つの傾斜面１４には、第一の鉛直折り曲げ線２１と第一の水平折り曲げ線３１とが交わる交点と、第二の水平折り曲げ線３３上の前記中点とをそれぞれ結ぶ一対の傾斜折れ曲がり線４１´がそれぞれ形成されており、前記二つの傾斜面のうち少なくとも一つの傾斜面１４に形成された一対の傾斜折れ曲がり線４１´は、それぞれシート材５２の一辺５２ａまで延設され、これにより前記組み立てられ密封された飲料物収容容器１において第二の鉛直折り曲げ線２３が配設された糊付け面１３における糊付けを解除して開封した場合に、前記糊付け面１３上の第二の鉛直折れ曲がり線２３が、前記底面の中心を通って鉛直方向に沿って伸びる中心軸Ｏに対して前記糊付け面上の一対の前記傾斜折れ曲がり線より外側に配置されるように、前記糊付け面１３が、前記糊付け面１３上の一対の傾斜折れ曲がり線４１´と第二の鉛直折り曲げ線２３に沿って折り曲げられるようにしたから、ストロー６１が前記糊付け面１３のうち第二の鉛直折り曲げ線２３が形成された部分全体と接触してストロー６１を圧迫する虞を可及的に防止でき、そのため、飲料物はストロー６１内を円滑に通過することができるので、利用者は飲料物を円滑かつ確実に飲むことができ、この作用効果は、特に、収容する飲料物の種類が果汁入りのものや、粘りけのあるものの場合に有効である。
【００３４】
すなわち、この考案によれば、ストロー６１を可及的に圧迫させず、これにより飲料物を円滑かつ確実に飲むことができる飲料物収容容器１を提供することができる。
【００３５】
なお、この実施例の飲料物収容容器１では、二つの傾斜面１４のそれぞれに配設された一対の傾斜折り曲げ線４１´を配設することとしたが、該一対の傾斜折り曲げ線は４１´は、第二の鉛直折り曲げ線２３に対応して形成されたものであればよく、本願考案の飲料物収容容器は、いずれか一方の第二の鉛直折り曲げ線２３にのみ対応して一対の傾斜折り曲げ線４１´が配設されたものであってもよい。
【００３６】
なお、二本の第二の鉛直折り曲げ線２３のそれぞれに対応して一対の傾斜折り曲げ線４１´を配設した場合には、該二本の第二の鉛直折り曲げ線２３のいずれが配設されている糊付け面１３から開封した場合でも、上記した糊付け面１３を第二の鉛直折り曲げ線２３及び傾斜折り曲げ線４１´に沿って折り曲げることにより、ストロー６１によって飲料物を円滑かつ確実に飲むことができ、また外部衝撃による飲料物の飛散も可及的に防止できるという上記作用効果を奏することができる。
【図面の簡単な説明】
【００３７】
【図１】図１は、本考案の実施例の飲料物収容容器の展開図である。
【図２】図２は、図１の展開図のシート材から飲料物収容容器を組み立ててこれを密封した後、さらに第二の鉛直折り曲げ線が配設された糊付け面における糊付けを解除して開封した様子を示す飲料物収容容器の要部概念斜視図であって、ストローを開口部に挿入しようとする様子を示す図である。
【図３】図３は、図１の飲料物収容容器の要部拡大概念斜視図であって、特にストローを開口部に挿入した後、一対の傾斜折れ曲がり線及び第二の鉛直折り曲げ線で折り曲げた様子を示す図である。
【図４】図４は、図３の飲料物収容容器の概念平面図である。
【図５】図５は、従来の紙製の飲料物収容容器の要部概念斜視図であって、特に飲料物収容容器を密封した様子を示す図である。
【図６】図６は、図５の飲料物収容容器の展開図である。
【図７】図７は、図５及び図６に示した飲料物収容容器の概念平面図であって、特に飲料物収容容器を密封した様子を示す図である。
【図８】図８は、図５及び図６に示した飲料物収容容器の概念平面図であって、特に、開封途中の様子を示す図である。
【図９】図９は、図５及び図６に示した飲料物収容容器の概念斜視図であって、特に、開封した飲料物収容容器にストローを投入しようとする様子を示す図である。
【符号の説明】
【００３８】
１…飲料物収容容器
２…一枚のシート材
１１…側面
１１ａ…開口部
２１…第一の鉛直折り曲げ線
１３…糊付け面
１４…傾斜面
２３…第二の鉛直折り曲げ線
３１…第一の水平折り曲げ線
３３…第二の水平折り曲げ線
４１´…傾斜折れ曲がり線
４２…断面Ｖ字形状の溝
５２…シート材
５２ａ…シート材の一辺
６１…ストロー
Ｏ…底面の中心を通って鉛直方向に沿って伸びる中心軸
【図１】
0003111473.tif 000003
【図２】
0003111473.tif 000004
【図３】
0003111473.tif 000005
【図４】
0003111473.tif 000006
【図５】
0003111473.tif 000007
【図６】
0003111473.tif 000008
【図７】
0003111473.tif 000009
【図８】
0003111473.tif 000010
【図９】
0003111473.tif 000011